(57)【特許請求の範囲】
【請求項１】
台座上に載置されたタンクの所定個所に各種部品を装着するための穴を開穿すべく、該タンク上にドリルユニットを配設し、該ドリルユニットにて該タンクに所定の穴を明けるように構成されたタンクの穴明け装置であって、前記ドリルユニットの下端部に設けられているチャックに回転刃の回転中心を兼ねた螺子を取り付け、該螺子から所定距離を隔てて前記回転刃を設け、回転刃の回転により前記螺子を前記タンクの所定個所に螺入し、更に、該螺子を回転中心として前記回転刃を回転させ乍ら該タンクに穴を開穿したとき、切り抜かれた切断片が前記螺子によって保持されているタンクの穴明け装置に於いて、
上記タンクの所定個所に各種部品を装着するための穴を開穿するにあたり、前記タンクの所定個所は該タンクの上面における所定個所であり、上記螺子から所定距離を隔てて前記回転刃を設けるにあたり、該回転刃はナイフ様の刃物によって形成され、下端面は前記螺子の下端面より少し上方部に位置するように配設されて、該螺子の螺入及び回転刃の回転による切屑の発生を可及的に防止するように構成してなり、且つ、自動車等の合成樹脂製燃料タンクの用に供せられることを特徴とするタンクの穴明け装置。
【発明の詳細な説明】
【０００１】
【発明の属する技術分野】
この発明はタンクの穴明け装置に関するものであり、特に、自動車等の燃料タンクに所定の穴を開穿したとき、切り抜かれた切断片或いは切屑等が該タンク内に落下しないように構成された合成樹脂製タンクの穴明け装置に関するものである。
【０００２】
【従来の技術】
従来の此種タンクの穴明け装置１について図６及び図７に従って説明する。図に於いて、該穴明け装置１はドリルユニット２を備え、該ドリルユニット２のボディ中心部に配設された回転軸３にプーリ４を軸着し、更に、該プーリ４とモータ５の軸に軸着したプーリ４ａとの間にベルト６を懸架して該モータ５の回転を前記回転軸３に伝達し、更に、該回転軸３の下端部に取り付けられているチャック７に、ドリル８及びバイト９を取り付けた枠体１０の上端部をチャッキングし、そして、前記モータ５の回転駆動を該枠体１０に伝達して前記ドリル８及び該ドリル８を回転中心として回転するバイト９に伝達するように構成されている。
【０００３】
一方、ゲージやセンサ等の所定部品を取り付けるために穴明けされるべきタンク１１は一般に合成樹脂にて成形される。図示例のタンク１１は主として自動車の燃料タンクとして用いられる。図に於いてタンク１１は台座１２上に固定具１３，１３にて固定される。そこで、該タンク１１の所定個所に所定の径を有する穴１４を開穿するのであるが、該穴１４の径は取り付けられるべき部品によって任意に採択される。而も、該所定の径は前記ドリル８とバイト９との距離によって決定されることは当然である。
【０００４】
そこで、先ず、図６に示すように、台座１２上に固定された前記タンク１１の所定個所に前記穴を開穿するために、該所定個所の中心位置に前記ドリル８の下端部を当接し、そして、前記モータ５の回転駆動に基づいて前記ドリルユニット２の回転軸３が回転する。然るときは、該回転軸３に取り付けられているチャック７にチャッキングされている前記ドリル８及びバイト９を取り付けてある枠体１０が回転し乍ら該ドリルユニット２が下降する。このとき、該ドリル８は開穿せられるべき穴１４の中心位置を穿孔して前記バイト９の回転中心を保持する。更に、該バイト９が該ドリル８を回転中心として回転囲繞し乍ら該タンク１１に所定の穴１４を開穿する。
【０００５】
【発明が解決しようとする課題】
上記従来例はバイト９の回転中心をとるためにドリル８で穴相当部位の中心部を穿孔し、そして、該ドリル８を回転中心として該ドリル８の廻りを回転囲繞し乍ら穴１４を開穿するように構成されているため、図７に示すように該ドリル８の回転穿孔動作時に、該ドリル８による切屑Ｖ，Ｖ…が該タンク１１内に落下し、更に、前記バイト９による開穿時にも該切屑Ｖ，Ｖ…が飛散して周囲の環境を汚染する。更に又、該バイト９によって切り抜かれた穴相当部の切断片が該タンク１１内に落下する。
【０００６】
然るに、該タンク１１内に落下した前記切屑Ｖ，Ｖ…及び切断片１５を該タンク１１内から取り除く作業が極めて困難であり、且つ、該タンク１１内の清掃も容易でない。
そこで、タンクの所定個所に穴を開穿するとき、切屑の発生を可及的に防止し、且つ、切り抜かれた切断片が該タンク内に落下しないようにするために解決せられるべき技術的課題が生じてくるのであり、本発明は該課題を解決することを目的とする。
【０００７】
【課題を解決するための手段】
この発明は上記目的を達成するために提案せられたものであり、台座上に載置されたタンクの所定個所に各種部品を装着するための穴を開穿すべく、該タンク上にドリルユニットを配設し、該ドリルユニットにて該タンクに所定の穴を明けるように構成されたタンクの穴明け装置であって、前記ドリルユニットの下端部に設けられているチャックに回転刃の回転中心を兼ねた螺子を取り付け、該螺子から所定距離を隔てて前記回転刃を設け、回転刃の回転により前記螺子を前記タンクの所定個所に螺入し、更に、該螺子を回転中心として前記回転刃を回転させ乍ら該タンクに穴を開穿したとき、切り抜かれた切断片が前記螺子によって保持されているタンクの穴明け装置に於いて、
上記タンクの所定個所に各種部品を装着するための穴を開穿するにあたり、前記タンクの所定個所は該タンクの上面における所定個所であり、上記螺子から所定距離を隔てて前記回転刃を設けるにあたり、該回転刃はナイフ様の刃物によって形成され、下端面は前記螺子の下端面より少し上方部に位置するように配設されて、該螺子の螺入及び回転刃の回転による切屑の発生を可及的に防止するように構成してなり、且つ、自動車等の合成樹脂製燃料タンクの用に供せられるタンクの穴明け装置を提供するものである。
【０００８】
【発明の実施の形態】
以下、本発明の一実施の形態を図１乃至図５に従って詳述する。尚、説明の都合上、本発明の穴明け装置１′と従来例が共通している構成部分については同一の符号を付してその説明を省略するものとする。
【０００９】
図１乃至図５は穴明けせられるべきタンク１１の所定個所に穴１４を開穿する手順を示すものであるが、本発明は従来例のドリルに代えて螺子１６を採択し、更に、従来例のバイトに代え回転刃１７を採択している。即ち、従来は金属板或いは此種合成樹脂製のタンク１１に穴明けする際には、固定観念としてバイトが用いられていたのであるが、このバイトによって穿孔するときには図７に示すように、どうしても、切屑Ｖ，Ｖ…が飛散して周囲の環境を汚染することになる。そこで、本発明はこのバイトに代えナイフ様の刃物によって形成された回転刃１７を採択したのである。
【００１０】
又、本発明は前述したように、ドリルに代え螺子１６を採択しているので、該螺子１６がタンク１１の所定個所に螺入されたときには、該螺子１６の喰い込みにより前記回転刃１７によって切り抜かれた切断片１５がタンク１１内に落下することはない。
【００１１】
そこで、本発明の穴明け装置１′を用いて合成樹脂製タンク１１の所定個所に穴１４を開穿する手順を図に従って説明する。
図１に示すように、固定具１３，１３によって台座１２上に固定されたタンク１１上に本発明の穴明け装置１′を臨ませる。該穴明け装置１′には前述したように従来例のドリルに代え螺子１６が採択されているので、該螺子１６の下端部を該タンク１１の穴明け個所の中心点上に当接させる。このとき、前記回転刃１７の下端面は該螺子１６の下端面より少し上方部に位置するように配設されるを可とする。然るときは、図２に示すように、ドリルユニット２の回転軸３がモータ５の駆動によって回転し、且つ、該ドリルユニット２が下降するとき、先ず、該螺子１６がタンク１１の所定個所に螺入する。更に、該ドリルユニット２の前記回転軸３が回転し乍ら該ドリルユニット２が下降することにより、前記回転刃１７が該螺子１６を回転中心として回転囲繞し乍ら穴１４相当部位を切り抜くことになる。このとき、図３に示すように切り抜かれた切断片１５は、前記螺子１６の螺合によって該螺子１６に保持されており、従って、タンク１１内に落下することはない。又、従来例と異なり、螺子１６及び前述の回転刃１７を採択しているので、切屑Ｖ，Ｖ…等が発生してタンク１１内に落下したり、或いは周囲の環境を汚染するようなこともない。
【００１２】
斯くして、切り抜かれた前記切断片１５は図４に示すように、前記螺子１６に保持された状態で開穿された穴１４の位置から上方へ取り除かれ、そして、前記ドリルユニット２を側方へ移動させることにより、該切断片１５はタンク１１の位置から離れた場所へ運ばれる。更に、図５に示すように、該切断片１５を保持している前記螺子１６を逆回転させる等の手段によって該切断片１５を該螺子１６から離脱させ、排出板１８を介して該切断片１５を排出できる。
【００１３】
尚、本発明は、本発明の精神を逸脱しない限り種々の改変を為すことができ、そして、本発明が該改変されたものに及ぶことは当然である。
【００１４】
【発明の効果】
本発明は上記一実施の形態にて詳述したように、従来のタンクの穴明け装置に用いられているドリルに代え螺子を採択し、更に、バイトに代えナイフ様の回転刃を用いているので、先ず、螺子がタンクの上面の所定個所に螺入し、そして、該螺子を回転中心として前記回転刃が回転し乍ら該タンクの所定個所を切り抜き、所定の穴明け加工が実行される。このとき、穴を開穿するにあたり、タンクの所定個所は該タンクの上面における所定個所であるから、開穿の作業を視認できると共に、前記螺子の螺入動作時及び前記回転刃の回転切断動作時には、従来のドリル或いはバイトによる場合と異なり切屑は殆ど発生せず、従って、周囲の環境を汚染することは回避せられ、更に、回転刃によって切り抜かれた切断片も前記螺子の螺入によって保持されているため、該切断片は切り抜かれた後、該タンク内に落下すると言うこともなくなる。
而も、タンクの上面における所定個所を、該タンク上にドリルユニットを配設して、該ドリルユニットで上方から開穿しているにもかかわらず、従来例では、前記切屑及び切断片がタンク内に落下して、該切断片及び切屑を該タンク内から取り除くための清掃作業が極めて困難であるが、本発明によって之等の清掃作業は不要となる。
【００１５】
又、該切断片は該螺子に保持された状態でタンクの側方へ運ばれ、そして、該螺子を逆回転する等の手段のみで前記切断片を取り去ることができるので、切断片除去の他の部材を使用することなく連続加工が可能となり、依って量産に適し、コストダウンにも寄与する等、正に著大なる効果を奏する発明である。
【図面の簡単な説明】
【図１】図は本発明の一実施の形態を示し、穴明け装置をタンク上面に配置したときの正面図。
【図２】図１の穴明け装置の螺入をタンクの所定個所に螺入し、更に、該螺子を回転中心として回転する回転刃によって該タンクに穴が開穿されている状態を示す一部切欠正面図。
【図３】図２の状態で穴明け加工が終了した後、切断片を穴から上方へ取り出している状態を示す一部切欠正面図。
【図４】図３の状態から切断片を螺子によって保持したまま、タンクの外方へ運ばれている状態を示す一部切欠正面図。
【図５】図４の状態から切断片を螺子より取り除いて排出している状態を示す一部切欠正面図。
【図６】従来例を示し、穴明け装置をタンク上面に配置した状態を示す正面図。
【図７】従来例の穴明け装置によってタンクに穴を開穿している状態を示す一部切欠正面図。
【符号の説明】
１′      穴明け装置
２        ドリルユニット
３        回転軸
７        チャック
１１        タンク
１２        台座
１４        穴
１５        切断片
１６        螺子
１７        回転刃
Ｖ        切屑
【図１】
0003676700.tif 000002
【図２】
0003676700.tif 000003
【図３】
0003676700.tif 000004
【図４】
0003676700.tif 000005
【図５】
0003676700.tif 000006
【図６】
0003676700.tif 000007
【図７】
0003676700.tif 000008